(57)【要約】【課題】積雪のある屋根の上などの高所において、雪おろし作業時に使用する救命用具を提供する。【解決手段】容器の底面に突起を複数設け、さらに長尺物を固定してしばることの出来る留め具を１か所以上設け、そこに長尺物を固定してしばり、さらに側部に複数の支えを設け、その容器の中へ荷重をかけるための重しを入れ、屋根の作業位置と反対の斜面側に救命用具本体を設置し、長尺物の先端を作業者の体に巻きつけることを特徴とする救命用具。【選択図】  図９
2014114546.tif 000002
【特許請求の範囲】
【請求項１】
容器の底面に突起を複数設けたことを特徴とする救命用具。
【請求項２】
容器の底面に突起を複数設け、さらに長尺物を固定してしばることの出来る留め具を１か所以上設けたことを特徴とする救命用具。
【請求項３】
骨組みのみの容器の底面に突起を複数設けたことを特徴とする救命用具。
【請求項４】
骨組みの容器の底面に突起を複数設け、さらに長尺物を固定してしばることの出来る留め具を１か所以上設けたことを特徴とする救命用具。
【請求項５】
突起のある面に囲い部を１か所以上設けたことを特徴とする請求項１から４の救命用具。
【請求項６】
突起の長さを複数種類設けたことを特徴とする請求項１から５の救命用具。
【請求項７】
複数の突起を斜め方向に向けたことを特徴とする請求項１から６の救命用具。
【請求項８】
突起の向きを複数方向に設けたことを特徴とする請求項１から７の救命用具。
【請求項９】
側部に複数の支えを設けたことを特徴とする請求項１から８の救命用具。
【請求項１０】
側部の一番下の支えは斜め下向き、かつ脇にはみ出すように設けたことを特徴とする請求項１から９の救命用具。
【請求項１１】
側部に旗を設けたことを特徴とする請求項１から１０の救命用具。
【発明の詳細な説明】
【技術分野】
【０００１】
本発明は、積雪のある屋根の上などの高所において、雪おろし作業時に使用する救命用具に関するものである。
【背景技術】
【０００２】
従来、積雪のある屋根の上などにおいて、雪おろし作業時に、これといった命綱のような救命用具  の市販品は、皆無に近かった。
【発明の概要】
【発明が解決しようとする課題】
【０００３】
例えば、積雪のある屋根の上などにおいて、雪おろし作業時に、これといった命綱のような救命用具の市販品は、皆無に近かった。
そのため、毎年屋根の雪下ろし作業中に、屋根よりの落下事故により、死傷者が多数発生するという、問題点があった。
【課題を解決するための手段】
【０００４】
そこで本発明の救命用具は、容器の底面に突起を複数設けたことを特徴とする。
【０００５】
また、本発明の救命用具は、容器の底面に突起を複数設け、さらに長尺物を固定してしばることの出来る留め具を１か所以上設けたことを特徴とする。
【０００６】
また、本発明の救命用具は、骨組みの容器の底面に突起を複数設けたことを特徴とする。
【０００７】
また、本発明の救命用具は、骨組みの容器の底面に突起を複数設け、さらに長尺物を固定してしばることの出来る留め具を１か所以上設けたことを特徴とする。
【０００８】
また、本発明の救命用具は、上記発明において、突起のある面に囲い部を１か所以上設けたことを特徴とする。
【０００９】
また、本発明の救命用具は、上記発明において、突起の長さを複数種類設けたことを特徴とする。
【００１０】
また、本発明の救命用具は、上記発明において、複数の突起を斜め方向に向けたことを特徴とする。
【００１１】
また、本発明の救命用具は、上記発明において、突起の向きを複数方向に設けたことを特徴とする。
【００１２】
また、本発明の救命用具は、上記発明において、側部に複数の支えを設けたことを特徴とする。
【００１３】
また、本発明の救命用具は、上記発明において、側部の一番下の支えは斜め下向き、かつ脇にはみ出すように設けたことを特徴とする。
【００１４】
また、本発明の救命用具は、上記発明において、側部に旗を設けたことを特徴とする。
【発明の効果】
【００１５】
本発明の救命用具を、屋根の上に設置し、作業者と救命用具を長尺物で結び、救命用具の中に作業者の体重以上の５０〜８０キログラム程度の重しを載せるため、作業中の屋根からの落下事故の防止に役立つ。
【発明を実施するための形態】
【００１６】
以下、本発明の実施の形態を説明する。
【実施例１】
【００１７】
（イ）例えば、図１、図２で示したように、合成樹脂等で、上部の前部短辺の縁に前部短辺のせり出し部（３）を形成し、後部短辺の縁に後部短辺のせり出し部（４）を形成し、上部が開放された、丈夫な容器（１）を形成する。
【００１８】
（ロ）その容器（１）の底面部分の全体に積雪に食い込み、すべりにくくなるように、突起Ａ（５）を底面に対して垂直に突き出るように複数設け、その突起Ａ（５）それぞれに、すべり止めとなり、かつ、屋根材に傷がつきにくいように、ゴムなどの弾性体（６）でカバーする。
【００１９】
（ハ）容器（１）の前部短辺のせり出し部（３）の、中央付近に、回転自在の長尺物固定留め具（２）を設け、さらに、後部短辺のせり出し部（４）の、中央付近にも、重しを増やす時に、追加の容器（１）を連結したり、図１５に示すように地表の杭（３１）と長尺物を結んだり出来るように、回転自在の長尺物固定留め具（２）を設ける。また、長尺物固定留め具（２）の裏面には、丈夫にするための補強板（７）を設ける。
【実施例２】
【００２０】
（イ）例えば、図３、図４で示したように、上部の両短辺の縁部分に前部短辺のせり出し部（３）と、後部短辺のせり出し部（４）を形成し、さらに、底に底板（９）を二枚形成した、骨組の容器（８）を形成する。
【００２１】
（ロ）骨組の容器（８）の底面部分の全体に積雪に食い込み、すべりにくくなるように、突起Ａ（５）を底面に対して垂直に突き出るように複数設け、その突起Ａ（５）それぞれに、すべり止めとなり、かつ、屋根材に傷がつきにくいように、ゴムなどの弾性体（６）でカバーする。
【００２２】
（ハ）骨組の容器（８）の前部短辺のせり出し部（３）の、中央付近に、回転自在の長尺物固定留め具（２）を設け、さらに、もう一方の後部短辺部のせり出し部（４）にも、重しを増やす時に、追加の容器（１）や骨組の容器（８）を連結したり、図１５に示すように地表の杭（３１）と長尺物を結んだり出来るように、回転自在の長尺物固定留め具（２）を設ける。
【実施例３】
【００２３】
（イ）例えば、図１、図２で示したように、合成樹脂等で、上部の両短辺の縁部分に前部短辺のせり出し部（３）と、後部短辺のせり出し部（４）を形成し、さらに、上部が開放された、丈夫な容器（１）を形成する。
【００２４】
（ロ）その容器（１）の底面部分の全体に積雪に食い込み、すべりにくくなるように、突起Ａ（５）を底面に対して垂直に突き出るように複数設け、その突起Ａ（５）それぞれに、すべり止めとなり、かつ、屋根材に傷がつきにくいように、ゴムなどの弾性体（６）でカバーする。
【００２５】
（ハ）さらに、図５で示したように、その容器（１）の底面部分の、約２分の１付近に縁から相対する縁まで、突起Ａ（５）より、高さを低くなるようにした、コの字型の囲い板Ａ（１０）を形成し、さらに、後部短辺部にも同一方向の向きに、縁から相対する縁までコの字型の囲い板Ａ（１０）を形成する。
【００２６】
（ニ）容器（１）の前部短辺のせり出し部（３）の、中央付近に、回転自在の長尺物固定留め具（２）を設け、さらに、もう一方の後部短辺のせり出し部（４）の、中央付近にも、重しを増やす時に、追加の容器（１）を連結したり、図１５に示すように地表の杭（３１）と長尺物で結んだり出来るように、回転自在の長尺物固定留め具（２）を設ける。また、長尺物固定留め具（２）の裏面には、丈夫にするための補強板（７）を設ける。
【実施例４】
【００２７】
（イ）例えば、図１、図２で示したように、合成樹脂等で、上部の両短辺の縁部分に前部短辺のせり出し部（３）と、後部短辺のせり出し部（４）を形成し、さらに、上部が開放された、丈夫な容器（１）を形成する。
【００２８】
（ロ）図６に示したように、その容器（１）の底面部分に積雪に食い込み、すべりにくくなるように、底面に対して垂直に突き出るように突起Ａ（５）を、底面部分の約２分の１付近の後部方向の縁付近にのみ、複数設ける。さらに、底面の中央部には、突起Ａ（５）の高さより低くし、底面に対して垂直に突き出るような突起Ｃ（１３）を複数設ける。また、底面部分の約２分の１付近の前部方向の縁付近にのみ、突起Ａ（５）の高さより高くし、底面に対して垂直に突き出るような突起Ｂ（１２）を複数設ける。すべての突起にそれぞれに、すべり止めとなり、かつ、屋根材に傷がつきにくいように、ゴムなどの弾性体（６）でカバーする。
【００２９】
（ハ）さらに、図６で示したように、その容器（１）の底面部分の、約２分の１付近に縁から相対する縁まで、中央部は突起Ｃ（１３）より、低くなるようにし、突起Ａ（５）と突起Ｂ（１２）の脇付近は、突起Ａ（５）と突起Ｂ（１２）より低くなるようにした、変形のコの字型の囲い板Ｂ（１１）を形成する。さらに、後部短辺部にも同一方向の向きに、縁から相対する縁まで変形のコの字型の囲い板Ｂ（１１）を形成する。
【００３０】
（ニ）容器（１）の前部短辺のせり出し部（３）の、中央付近に、回転自在の長尺物固定留め具（２）を設け、さらに、もう一方の後部短辺のせり出し部（４）の中央付近にも、重しを増やす時に、追加の容器（１）を連結したり、図１５に示すように地表の杭（３１）と長尺物で結んだり出来るように、回転自在の長尺物固定留め具（２）を設ける。また、長尺物固定留め具（２）の裏面には、丈夫にするための補強板（７）を設ける。
【実施例５】
【００３１】
（イ）例えば、図１、図２で示したように、合成樹脂等で、上部の両短辺の縁部分に前部短辺のせり出し部（３）と、後部短辺のせり出し部（４）を形成し、さらに、上部が開放された、丈夫な容器（１）を形成する。
【００３２】
（ロ）図７に示したように、その容器（１）の底面部分に積雪に食い込み、すべりにくくなるように、底面に対して垂直に突き出るように突起Ａ（５）を、底面部分の約２分の１付近の後部方向の縁付近にのみ、複数設ける。さらに、底面の中央部には、突起Ａ（５）の高さより低くし、底面に対して垂直に突き出るような突起Ｃ（１３）を複数設ける。また、底面部分の約２分の１付近の前部方向の縁付近にのみ、突起Ａ（５）の高さより高くし、底面に対して垂直に突き出るような突起Ｂ（１２）を複数設ける。
【００３３】
（ハ）図７に示したように、その容器（１）の底面部分に積雪に食い込み、すべりにくくなるように、突起Ｄ（１４）を底面に対して斜めに突き出るように、底面部分の約２分の１付近の後部方向の縁付近にのみ、複数設ける。さらに、底面部分の約２分の１付近の前部方向の縁付近にのみ、突起Ａ（５）の高さより高くし、底面に対して斜めに突き出るような突起Ｅ（１５）を複数設ける。すべての突起にそれぞれに、すべり止めとなり、かつ、屋根材に傷がつきにくいように、ゴムなどの弾性体（６）でカバーする。
【００３４】
（ニ）さらに、図６で示したように、その容器（１）の底面部分の、約２分の１付近に縁から相対する縁まで、中央部は突起Ｃ（１３）より、低くなるようにし、突起Ａ（５）と突起Ｂ（１２）の脇付近は、突起Ａ（５）と突起Ｂ（１２）より低くなるようにした、変形のコの字型の囲い板Ｂ（１１）を形成する。さらに、後部短辺部にも同一方向の向きに、縁から相対する縁まで変形のコの字型の囲い板Ｂ（１１）を形成する。
【００３５】
（ホ）容器（１）の前部短辺のせり出し部（３）の、中央付近に、回転自在の長尺物固定留め具（２）を設け、さらに、もう一方の後部短辺のせり出し部（４）の中央付近にも、重しを増やす時に、追加の容器（１）を連結したり、図１５に示すように地表の杭（３１）と長尺物で結んだり出来るように、回転自在の長尺物固定留め具（２）を設ける。また、長尺物固定留め具（２）の裏面には、丈夫にするための補強板（７）を設ける。
【実施例６】
【００３６】
（イ）例えば、図３、図４で示したように、上部の両短辺の縁部分に前部短辺のせり出し部（３）と、後部短辺のせり出し部（４）を形成し、さらに、底に底板（９）を二枚形成した、骨組の容器（８）を形成する。
【００３７】
（ロ）図８に示すように、骨組の容器（８）の底面部分の全体に積雪に食い込み、すべりにくくなるように、突起Ａ（５）を底面に対して垂直に突き出るように複数設け、さらに底面に対して斜めに突き出るような突起Ｄ（１４）を複数設ける。また、すべての突起に、すべり止めとなり、かつ、屋根材に傷がつきにくいように、ゴムなどの弾性体（６）でカバーする。
【００３８】
（ハ）骨組の容器（８）の前部短辺のせり出し部（３）の、中央付近に、回転自在の長尺物固定留め具（２）を設け、さらに、もう一方の後部短辺部のせり出し部（４）にも、重しを増やす時に、追加の容器（１）や骨組の容器（８）を連結したり、図１５に示すように地表の杭（３１）と長尺物を結んだり出来るように、回転自在の長尺物固定留め具（２）を設ける。
【実施例７】
【００３９】
（イ）例えば、図１、図２で示したように、合成樹脂等で、上部の両短辺の縁部分に前部短辺のせり出し部（３）と、後部短辺のせり出し部（４）を形成し、さらに、上部が開放された、丈夫な容器（１）を形成する。
【００４０】
（ロ）図６に示したように、その容器（１）の底面部分に積雪に食い込み、すべりにくくなるように、底面に対して垂直に突き出るように突起Ａ（５）を、底面部分の約２分の１付近の後部方向の縁付近にのみ、複数設ける。さらに、底面の中央部には、突起Ａ（５）の高さより低くし、底面に対して垂直に突き出るような突起Ｃ（１３）を複数設ける。また、底面部分の約２分の１付近の前部方向の縁付近にのみ、突起Ａ（５）の高さより高くし、底面に対して垂直に突き出るような突起Ｂ（１２）を複数設ける。
【００４１】
（ハ）さらに、図７に示したように、その容器（１）の底面部分に積雪に食い込み、すべりにくくなるように、突起Ｄ（１４）を底面に対して斜めに突き出るように、底面部分の約２分の１付近の後部方向の縁付近にのみ、複数設ける。さらに、底面部分の約２分の１付近の前部方向の縁付近にのみ、突起Ａ（５）の高さより高くし、底面に対して斜めに突き出るような突起Ｅ（１５）を複数設ける。すべての突起にそれぞれに、すべり止めとなり、かつ、屋根材に傷がつきにくいように、ゴムなどの弾性体（６）でカバーする。
【００４２】
（ニ）さらに、図７で示したように、その容器（１）の底面部分の、約２分の１付近に縁から相対する縁まで、中央部は突起Ｃ（１３）より、低くなるようにし、突起Ａ（５）と突起Ｂ（１２）の脇付近は、突起Ａ（５）と突起Ｂ（１２）より低くなるようにした、変形のコの字型の囲い板Ｂ（１１）を形成する。さらに、後部短辺部にも同一方向の向きに、縁から相対する縁まで変形のコの字型の囲い板Ｂ（１１）を形成する。
【００４３】
（ホ）容器（１）の前部短辺のせり出し部（３）の、中央付近に、回転自在の長尺物固定留め具（２）を設け、さらに、もう一方の後部短辺のせり出し部（４）の中央付近にも、重しを増やす時に、追加の容器（１）を連結したり、図１５に示すように地表の杭（３１）と長尺物で結んだり出来るように、回転自在の長尺物固定留め具（２）を設ける。また、長尺物固定留め具（２）の裏面には、丈夫にするための補強板（７）を設ける。
【００４４】
（ヘ）さらに、図９、図１０、図１１で示したように、容器（１）の前部短辺のせり出し部（３）の、下の側板部分の一番下の短辺部に、斜め下向きで、かつ、脇にはみ出るような支えＡ（１６）を左右にひとつづつ設け、さらに、短辺部の中央付近に少し間隔を開けて、側面から見て、左右の支えＡ（１６）と一直線となるように、斜め下向きの支えＢ（１７）をふたつ設ける。さらに、容器（１）の前部短辺のせり出し部（３）に向かって、支えＡ（１６）より少し上の左右にひとつづつ支えＣ（１８）を設ける。さらに、少し上の左右にひとつづつ支えＣ（１８）より長い支えＤ（１９）を設ける。また、支えＤ（１９）より少し上の左右にひとつづつ支えＤ（１９）より長い支えＥ（２０）を設ける。
【００４５】
（ト）すべての支えそれぞれに、すべり止めとなり、かつ、屋根材に傷がつきにくいように、ゴムなどの弾性体（６）でカバーする。
【実施例８】
【００４６】
（イ）例えば、図１２で示したように、上部の両短辺の縁部分に前部短辺のせり出し部（３）と、後部短辺のせり出し部（４）を形成し、さらに、底に底板（９）を二枚形成した、骨組の容器（８）を形成する。
【００４７】
（ロ）図１２に示すように、骨組の容器（８）の底面部分の全体に積雪に食い込み、すべりにくくなるように、突起Ａ（５）を底面に対して垂直に突き出るように複数設け、さらに底面に対して斜めに突き出るような突起Ｄ（１４）を複数設ける。また、すべての突起に、すべり止めとなり、かつ、屋根材に傷がつきにくいように、ゴムなどの弾性体（６）でカバーする。
【００４８】
（ハ）骨組の容器（８）の前部短辺のせり出し部（３）の、中央付近に、回転自在の長尺物固定留め具（２）を設け、さらに、もう一方の後部短辺部のせり出し部（４）にも、重しを増やす時に、追加の容器（１）や骨組の容器（８）を連結したり、図１５に示すように地表の杭（３１）と長尺物を結んだり出来るように、回転自在の長尺物固定留め具（２）を設ける。
【００４９】
（ヘ）さらに、図１２で示したように、骨組の容器（８）の前部短辺のせり出し部（３）の、下の側面部分の一番下の短辺部に、斜め下向きで、かつ、脇にはみ出るような支えＡ（１６）を左右にひとつづつ設け、さらに、短辺部の中央付近に少し間隔を開けて、側面から見て、左右の支えＡ（１６）と一直線となるように、斜め下向きの支えＢ（１７）をふたつ設ける。さらに、骨組の容器（８）の前部短辺のせり出し部（３）に向かって、支えＡ（１６）より少し上の左右にひとつづつ支えＣ（１８）を設ける。さらに、少し上の左右にひとつづつ支えＣ（１８）より長い支えＤ（１９）を設ける。また、支えＤ（１９）より少し上の左右にひとつづつ支えＤ（１９）より長い支えＥ（２０）を設ける。
【００５０】
（ト）すべての支えそれぞれに、すべり止めとなり、かつ、屋根材に傷がつきにくいように、ゴムなどの弾性体（６）でカバーする。
【実施例９】
【００５１】
（イ）例えば、図１、図２で示したように、合成樹脂等で、上部の前部短辺の縁に前部短辺のせり出し部（３）を形成し、後部短辺の縁に後部短辺のせり出し部（４）を形成し、上部が開放された、丈夫な容器（１）を形成する。
【００５２】
（ロ）その容器（１）の底面部分の全体に積雪に食い込み、すべりにくくなるように、突起Ａ（５）を底面に対して垂直に突き出るように複数設け、その突起Ａ（５）それぞれに、すべり止めとなり、かつ、屋根材に傷がつきにくいように、ゴムなどの弾性体（６）でカバーする。
【００５３】
（ハ）容器（１）の前部短辺のせり出し部（３）の、中央付近に、回転自在の長尺物固定留め具（２）を設け、さらに、後部短辺のせり出し部（４）の、中央付近にも、重しを増やす時に、追加の容器（１）を連結したり、図１５に示すように地表の杭（２９）と長尺物を結んだり出来るように、回転自在の長尺物固定留め具（２）を設ける。また、長尺物固定留め具（２）の裏面には、丈夫にするための補強板（７）を設ける。
【００５４】
（ニ）図１３に示すように、容器（１）の前部短辺のせり出し部（３）と、長辺部の交わる角近辺に、斜めとなるように旗支え（２１）を設け、そこへ旗（２３）付きの旗棒（２２）を差し込む。
本発明は、以上のような構成である。
【００５５】
本発明を使用するときは、例えば、破断能力が作業者の体重の十倍以上のロープまたは、帯などを長尺物固定留め具（２）に固定し、本発明の救命用具（２４）を、屋根の上の雪下ろし作業をする斜面と、反対の斜面の屋根の棟瓦の下に、支えＡ（１６）が接触するように設置をする。
【００５６】
そして、救命用具（２４）の中へ重しとなる水を入れたペットボトル、漬物石（セメント封入品）などを作業者の体重以上に入れ荷重をかける。そして、作業者の腰にロープまたは、帯を巻きつけて作業範囲を考えて雪おろし作業をする。そして、片側の斜面の屋根の雪下ろし作業が完了したら、本発明の救命用具（２４）の位置を替えて、今までと反対の斜面の屋根の棟瓦の下に、支えＡ（１６）が接触するように設置する。そして、作業者の腰にロープまたは、帯を巻きつけて作業範囲を考えて作業する。両方の屋根の雪下ろし作業が終了したら、完了となる。
【００５７】
また、多雪地域の場合には、降雪時期の少し前までに、屋根の雪下ろし作業をする屋根に、前もって本発明の救命用具（２４）を、いくつか設置して重しをのせ荷重をかけておき、かつ、地表の杭（３１）などを打ち込み、ロープまたは、帯を救命用具（２４）の長尺物固定留め具（２）に固定しておく。そして、もう一方の長尺物固定留め具（２）にロープまたは帯を固定し、いつものはしごを使って登る屋根の適当な位置に、いつでも使えるようにロープまたは帯の先端を固定しておく。
すると、雪おろし作業のたびに、救命用具を屋根の上に、上げたり降ろしたりの作業が必要でなくなり、雪おろし作業が楽になり、落下事故防止に大変役立つ。
【００５８】
また、前記実施例では、容器（１）は上部が開放としてあるが、ふたを設けたり、側板に取っ手を設けても良い。
【００５９】
さらに、骨組の容器（８）の場合には、重しを袋にいれたり、網で包んだりしたものを、骨組の容器（８）に複数しばりつけたりして、荷重を多くしても良い。                                    
【図面の簡単な説明】
【００６０】
【図１】本発明の斜視図
【図２】本発明の底面の斜視図
【図３】本発明の斜視図
【図４】本発明の底面の斜視図
【図５】本発明の底面の斜視図
【図６】本発明の底面の斜視図
【図７】本発明の底面の斜視図
【図８】本発明の底面の斜視図
【図９】本発明の底面の斜視図
【図１０】本発明の先端部の側面図
【図１１】本発明の先端部の平面図
【図１２】本発明の底面の斜視図
【図１３】本発明の斜視図
【図１４】本発明の使用状態を示す側面図
【図１５】本発明の使用状態を示す側面図
【符号の説明】
【００６１】
１      容器
２      長尺物固定留め具
３      前部短辺のせり出し部
４      後部短辺のせり出し部
５      突起Ａ
６      弾性体
７      補強版
８      骨組の容器
９      底板
１０    囲い板Ａ
１１    囲い板Ｂ
１２    突起Ｂ
１３    突起Ｃ
１４    突起Ｄ
１５    突起Ｅ
１６    支えＡ
１７    支えＢ
１８     支えＣ
１９     支えＤ
２０    支えＥ
２１    旗支え
２２    旗棒
２３    旗
２４    救命用具
２５    長尺物
２６    作業者
２７    除雪用具
２８    屋根の上の積雪
２９    地表の積雪
３０    建物
３１    地表の杭
【図１】
2014114546.tif 000003
【図２】
2014114546.tif 000004
【図３】
2014114546.tif 000005
【図４】
2014114546.tif 000006
【図５】
2014114546.tif 000007
【図６】
2014114546.tif 000008
【図７】
2014114546.tif 000009
【図８】
2014114546.tif 000010
【図９】
2014114546.tif 000011
【図１０】
2014114546.tif 000012
【図１１】
2014114546.tif 000013
【図１２】
2014114546.tif 000014
【図１３】
2014114546.tif 000015
【図１４】
2014114546.tif 000016
【図１５】
2014114546.tif 000017